(57)【要約】【課題】ホワイトバランスやカラーバランス補正を自動的に行い、いかなる環境下でも適切に読み取った画像を表示できる資料提示装置を提供すること。【解決手段】資料を載置するステージと、このステージ上に載置された資料中の画像を読み取る画像読取手段と、この画像読取手段の読み取り動作を制御すると共に読み取った画像を処理して所定の表示装置に出力する演算手段とを備え、演算手段が、画像読取手段にてあらかじめ用意された白レベルチャート及びカラーチャートを読み取って当該読み取った信号に基づいてホワイトバランス補正及びカラーバランス補正を行うバランス補正機能を有し、ステージ上の画像読取手段があらかじめ読み取ることができる領域の周囲に、白レベルチャート及びカラーチャートを配置した。【選択図】　　　　図１
2004023209.tif 000002
【特許請求の範囲】
【請求項１】
資料を載置するステージと、このステージ上に載置された資料中の画像を読み取る画像読取手段と、この画像読取手段の読み取り動作を制御すると共に読み取った画像を処理して所定の表示装置に出力する演算手段とを備え、前記演算手段が、前記画像読取手段にてあらかじめ用意された白レベルチャート及びカラーチャートを読み取って当該読み取った信号に基づいてホワイトバランス補正及びカラーバランス補正を行うバランス補正機能を有する資料提示装置において、
前記ステージ上の前記画像読取手段があらかじめ読み取ることができる領域の周囲に、前記白レベルチャート及びカラーチャートを配置したことを特徴とする資料提示装置。
【請求項２】
前記画像読取手段の読み取り可能な領域は、ユーザが設定できる画像読取範囲よりも広い範囲であることを特徴とする請求項１記載の資料提示装置。
【請求項３】
前記ステージ上の前記画像読取手段が読み取り可能な領域が略長方形状領域であると共に、前記白レベルチャート及びカラーチャートを、前記長方形状領域の４隅付近にそれぞれ配置したことを特徴とする請求項１又は２記載の資料提示装置。
【請求項４】
前記ステージ上の前記画像読取手段が読み取り可能な領域が略長方形状領域であると共に、前記白レベルチャート及びカラーチャートを、前記長方形状領域の４隅付近及び当該長方形状領域の各辺の中央付近にそれぞれ配置したことを特徴とする請求項１又は２記載の資料提示装置。
【請求項５】
前記白レベルチャート及びカラーチャートを、あらかじめ定められた用紙サイズに応じて配置したことを特徴とする請求項３又は４記載の使用提示装置。
【請求項６】
前記演算手段が、装置自体の電源投入時に前記バランス補正機能を作動することを特徴とする請求項１，２，３，４又は５記載の資料提示装置。
【発明の詳細な説明】
【０００１】
【発明の属する技術分野】
本発明は、資料提示装置にかかり、特に、ホワイトバランス補正及びカラーバランス補正機能を有する資料提示装置に関する。
【０００２】
【従来の技術】
従来における資料提示装置を、図２に示す。この図に示すように、使用提示装置は、資料を載置するステージ１０１と、このステージ１０１上に載置された資料中の画像を読み取る画像読取手段としてのＣＣＤカメラ１０２とを備え、ＣＣＤカメラ１０２は、ステージ１０１に対して回動自在に軸支された支持軸１０３にて支持されている。また、ステージ１０１の周囲には、ステージ上に載置される資料を照らすライト１０４が２つ備えられている。さらには、使用中の画像の読み取り位置やＣＣＤカメラ１０２のズームなどの操作を行うための操作部１０５が備えられている。そして、ＣＣＤカメラ１０２にて取り込まれた画像データは、モニタなどの外部表示装置に出力され、プレゼンテーションなどに活用される。
【０００３】
また、資料提示装置には、図示しない演算手段としてのＣＰＵが備えられていて、取り込んだ画像を処理して表示装置に送信したり、ＣＣＤカメラ１０２のズーム、ホワイトバランス補正、カラーバランス補正処理などを行う機能を有している。そして、これに伴い、ＣＣＤカメラ１０２には、ズーム機構部やホワイトバランス調整機構部なども備えられている。
【０００４】
ここで、ホワイトバランス補正及びカラーバランス補正処理とは、周辺の明るさや照射される光の種類によって、かかる光の下で撮影を行うと被写体には微妙な色が付き、実際とは違った色味となるため、かかる現象を抑制すべく色を補正する処理である。そして、上記補正処理は、例えば、白レベルチャート及びカラーチャートを読み取って当該読み取った信号に基づいて行われるが、かかる処理については周知であるため、その説明を省略する。
【０００５】
【発明が解決しようとする課題】
そして、従来では、資料提示装置に接続されるモニタやプロジェクタ等の表示装置の性能に制限されて、窓を閉じたり電灯を消したりして外部の光を遮断した環境で使用されることが多かったが、表示装置の性能向上に伴い、窓を開けた状態や電灯をつけたままの状態で使用される機会が増加してきた。
【０００６】
すると、従来のカラーバランス等の補正方法では、設置場所の変更や外部の光の変化に対応できず、ホワイトバランスや色合い（カラーバランス）などが変わってしまう問題が生じる。
【０００７】
【発明の目的】
本発明は、上記従来例の有する不都合を改善し、特に、ホワイトバランスやカラーバランス補正を自動的に行い、いかなる環境下でも適切に読み取った画像を表示できる資料提示装置を提供することをその目的とする。
【０００８】
【課題を解決するための手段】
そこで、本発明では、資料を載置するステージと、このステージ上に載置された資料中の画像を読み取る画像読取手段と、この画像読取手段の読み取り動作を制御すると共に読み取った画像を処理して所定の表示装置に出力する演算手段とを備え、演算手段が、画像読取手段にてあらかじめ用意された白レベルチャート及びカラーチャートを読み取って当該読み取った信号に基づいてホワイトバランス補正及びカラーバランス補正を行うバランス補正機能を有している。そして、ステージ上の画像読取手段があらかじめ読み取ることができる領域の周囲に、白レベルチャート及びカラーチャートを配置した、という構成を採っている。
【０００９】
このような構成にすることにより、カメラにてステージ上に配置されたチャートを読み取ることで、ホワイトバランス補正及びカラーバランス補正処理が演算手段にて実行されるため、周囲の明るさ等の環境に応じて適切な補正を実行でき、適切な色合いの画像を出力することができ、ユーザの利便性の向上を図ることができる。
【００１０】
また、画像読取手段の読み取り可能な領域は、ユーザが設定できる画像読取範囲よりも広い範囲であることとすると望ましい。特に、ステージ上の前記画像読取手段が読み取り可能な領域が略長方形状領域であると共に、白レベルチャート及びカラーチャートを、長方形状領域の４隅付近にそれぞれ配置したり、これに加え、当該長方形状領域の各辺の中央付近にそれぞれ配置することとすると、なお望ましい。このようにすることで、読み取り領域の外側のチャートを参照してホワイトバランス等が補正されるため、すなわち、より周囲の光の変化に対応して補正処理が実行されるため、設置環境に影響を受けることが抑制される。
【００１１】
また、白レベルチャート及びカラーチャートを、あらかじめ定められた用紙サイズに応じて配置することで、上述した補正処理に利用することができると共に、ユーザはこれに合わせて資料をステージ上に載置することができるため、当該ユーザの利便性の向上を図ることができる。
【００１２】
さらには、演算手段が、装置自体の電源投入時にバランス補正機能を作動することで、ユーザが意識することなくバランス補正が実行されるため、よりユーザの利便性の向上を図ることができる。
【００１３】
【発明の実施の形態】
〈一実施形態〉
以下、本発明の一実施形態について、図１乃至図２を参照して説明する。図１は、本発明の一実施形態におけるステージの構成を示す上面図である。図２は、上述したように、資料提示装置に構成を示す斜視図である。
【００１４】
図２に示す資料提示装置について説明する。この図に示すように、使用提示装置は、資料を載置するステージ１０１と、このステージ１０１上に載置された資料中の画像を読み取る画像読取手段としてのＣＣＤカメラ１０２とを備え、ＣＣＤカメラ１０２は、ステージ１０１に対して回動自在に軸支された支持軸１０３にて支持されている。また、ステージ１０１の周囲には、ステージ上に載置される資料を照らすライト１０４が２つ備えられている。さらには、使用中の画像の読み取り位置やＣＣＤカメラ１０２のズームなどの操作を行うための操作部１０５が備えられている。そして、ＣＣＤカメラ１０２にて取り込まれた画像データは、モニタなどの外部表示装置に出力され、プレゼンテーションなどに活用される。
【００１５】
また、資料提示装置には、図示しない演算手段としてのＣＰＵが備えられていて、取り込んだ画像を処理して表示装置に送信したり、ＣＣＤカメラ１０２のズーム、ホワイトバランス補正、カラーバランス補正処理などを行うバランス補正機能を有している。そして、これに伴い、ＣＣＤカメラ１０２には、ズーム機構部やホワイトバランス調整機構部なども備えられている。
【００１６】
ここで、ホワイトバランス補正及びカラーバランス補正処理とは、周辺の明るさや照射される光の種類によって、かかる光の下で撮影を行うと被写体には微妙な色が付き、実際とは違った色味となるため、かかる現象を抑制すべく色を補正する処理である。そして、上記補正処理は、例えば、白レベルチャート及びカラーチャートを読み取って当該読み取った信号に基づいて行われるが、かかる処理については周知であるため、その説明を省略する。
【００１７】
そして、本実施形態における資料提示装置では、特に、上記白レベルチャート及びカラーチャートの配置に特徴を有する。これを説明する前に、まず、ステージ１０１について説明する。
【００１８】
図１に示すように、ステージ１０１の上面は、画像読取手段であるＣＣＤカメラ１０２に対向する面となっていて、かかる面（以下、ステージ面１という）には、資料が載置されるようになっている。そして、このステージ面１上には、ＣＣＤカメラ１０２にて載置された資料を読み取り可能な領域である略長方形状の読取領域２が設定されている。この領域２は、ユーザがＣＣＤカメラ１０２にて読み取ることを指定できる最大限の範囲である。すなわち、かかる範囲内に資料を載置すれば、ＣＣＤカメラ１０２にて読み取ることができ、プロジェクタといった他の表示装置に出力することができる領域である。そして、上記読取領域２は、実際には図示するような線は引かれていない。
【００１９】
そして、上記読取領域２の周囲には、さらに、ＣＣＤカメラ１０２のレンズのワイド端に入る領域、すなわち、ズームレンズで焦点距離がもっとも短くなる状態で入る領域が設定されている。具体的には、読取領域２よりも一回り大きい略長方形状のワイド端領域３が設定されている。そして、図１では、この領域３を示す線が引かれているが、当該線が引かれることに限定されない。
【００２０】
また、上記読取領域２とワイド端領域３との間には、白レベルチャート及びカラーチャート（以下、まとめてチャート４という）が配設されている。具体的には、チャート４は、図１に示すように、ワイド端領域３に４隅付近に配設されている。かかる領域に配置することにより、ＣＣＤカメラ１０２にて読み取ることのできる最大限の範囲内の明るさ等の情報を、当該カメラ１０２にて取り込むことができ、適切なホワイトバランス補正及びカラーバランス補正を行うことができる。ちなみに、上記チャート４は、所定の色彩のカラーバーからなる一般的なものである。
【００２１】
ここで、上記チャート４は、略長方形状であるワイド端領域３の各辺の中央付近にもそれぞれ配置してもよい。すなわち、図１に示す読取領域２と、ワイド端領域３との間であって、各チャート４間にさらにチャートを配置し、計８個のチャート４を配設してもよい。
【００２２】
そして、図示しない演算手段であるＣＰＵには、装置自体の電源投入時に作動するバランス補正機能が備えられている。このバランス補正機能は、上述したチャート４を読み取って、白バランス補正及びカラーバランス補正を実行する機能である。かかる機能は、当該補正機能用プログラムがＣＰＵに組み込まれることにより実現できる。
【００２３】
次に、本実施形態における資料提示装置の動作について説明する。ちなみに、以下の動作は、図示しない演算手段であるＣＰＵが自動的に作動することにより、実現される。具体的には、ＣＰＵにあらかじめ用意されたプログラムが組み込まれて、所定の機能を実現する手段が、当該ＣＰＵに構築されることにより実現される。
【００２４】
まず、ユーザにて資料提示装置の電源が投入されると、ＣＣＤカメラ１０２自体がチャート４を読み取れるよう、ワイド端になるよう操作される。続いて、ＣＣＤカメラ１０２が、ワイド端領域３の４隅に位置するチャート４を読み取り、当該読み取ったデータをＣＰＵ内に一時的に保持する。そして、読み取り、一時的に保持したデータを用いて、あらかじめ組み込まれているバランス補正機能にて、ホワイトバランス補正、カラーバランス補正が実行される。
【００２５】
このようにすることにより、ユーザが資料提示装置の電源を投入した直後に、当該ユーザが意識することなく、自動的にステージ面上のチャートが参照されてホワイトバランス補正及びカラーバランス補正が実行されるため、表示される画像の色味が資料提示装置の設置環境に影響を受けることが抑制されると共に、ユーザの利便性の向上を図ることができる。このとき、読取領域２の外側に配置されたチャートを参照して、ホワイトバランス等が補正されるため、より周囲の光の変化に対応して補正処理が実行されることで、より適切な色合いの画像を出力することができる。
【００２６】
但し、読取領域２は、上述した略長方形状に限定されるわけではない。また、読取領域２は、ユーザが設定できる最大限の読み取り範囲ということに限定されず、その周囲までがユーザが設定できる読み取り範囲であってもよい。
【００２７】
〈他の実施形態〉
次に、本発明の他の実施形態について説明する。当該他の実施形態における資料提示装置では、上述した一実施形態のものとほぼ同様の構成を有しているが、白レベルチャート及びカラーチャートであるチャート４の配置が異なる。例えば、チャート４が、あらかじめ定められた用紙サイズに応じて配置されている。
【００２８】
例えば、チャート４は、Ａ４やＢ５といった定型用紙サイズの外周に位置する４隅付近にそれぞれ配設される。図１のステージ面１を例に挙げてさらに具体的に説明する。かかる例で読取領域２がＡ４サイズであるとすると、その内側にＢ５サイズの領域が画定されており、かかる領域の外周の４隅にもチャートが配置される。
【００２９】
そして、バランス補正機能は、例えばユーザにてあらかじめ資料のサイズを指定（例えば、操作部からサイズ指定の信号が入力されることによる）されていた場合に、当該サイズを認識して、そのサイズの外周付近までの画像を読み取るようにし、当該外周付近に位置するチャート４を読み取ることで、当該サイズの資料を使用するときに適切なカラーバランス等を設定するよう作動する。
【００３０】
このように、定型用紙サイズに合わせてチャート４を配置することで、上述した補正処理に利用することができると共に、ユーザはこれに合わせて資料をステージ上に載置することができるため、当該ユーザの利便性の向上を図ることができる。
【００３１】
【発明の効果】
本発明は、以上のように構成され機能するので、これによると、カメラにてステージ上の画像読取手段があらかじめ読み取ることができる領域の周囲に配置されたチャートを読み取ることで、ホワイトバランス補正及びカラーバランス補正処理が演算手段にて実行されるため、周囲の明るさ等の環境に応じて適切な補正を実行でき、適切な色合いの画像を出力することができ、ユーザの利便性の向上を図ることができる、という従来にない優れた効果を有する。
【図面の簡単な説明】
【図１】本発明の一実施形態におけるステージの構成を示す上面図である。
【図２】資料提示装置に構成を示す斜視図である。
【符号の説明】
１　ステージ面
２　読取領域
３　ワイド端領域
４　チャート（白レベルチャート、カラーチャート）
１０１　ステージ
１０２　画像読取手段
１０３　支持軸
１０４　ライト
１０５　操作部
【図１】
2004023209.tif 000003
【図２】
2004023209.tif 000004